(57)【要約】【課題】本発明は、使用者が心地よく跪いて座ることのできるひざ椅子に関する。【解決手段】上部の一定の領域に陥没形成される結合溝が備えられ、左右の両側に下部に一定の長さに伸びる足連結部が備えられる胴体と、上部面が人体の骨盤の輪郭に沿う形に凹んで形成されて上記結合溝に組立て可能に結合される座板と、上記足連結部の下部側に一定の長さに伸びるよう上記足連結部の下部と組立て可能に結合される足部と、を含む。【選択図】図１
2010194294.tif 000002
【特許請求の範囲】
【請求項１】
上部に一定の深さに陥没形成される結合溝が備えられ、左右の両側に、下部に一定の長さに伸びる足連結部が備えられる胴体と、
上部面が人体の骨盤の輪郭に沿う形に凹んで形成されて前記結合溝に組立て可能に結合される座板と、
前記足連結部が下部側に一定の長さに伸びるよう前記足連結部の下部と組立て可能に結合される足部と、を含むポータブルひざ椅子。
【請求項２】
前記座板は、その下部面に垂直して伸びる少なくともひとつの突出部が備えられ、前記結合溝には前記突出部に対応する結合孔が備えられ組立て可能に結合されることを特徴とする請求項１に記載のポータブルひざ椅子。
【請求項３】
前記足連結部は、その下部の一側に突出形成される挿入部が備えられ、前記足部の上部に備えられる挿入溝に前記挿入部が挿入されて組立て可能に結合されることを特徴とする請求項１に記載のポータブルひざ椅子。
【請求項４】
前記足部は、その下部に高さ調節部が組立て可能に備えられることを特徴とする請求項１に記載のポータブルひざ椅子。
【請求項５】
前記高さ調節部は、その下部面に伸縮部材が挿入される少なくともひとつの伸縮部材挿入溝が備えられることを特徴とする請求項４に記載のポータブルひざ椅子。
【請求項６】
前記座板は、左右側面が高くて中央が低く備えられ座板の上部面が左右側面から中央に向かって傾いた曲面に形成されることを特徴とする請求項１に記載のポータブルひざ椅子。
【請求項７】
前記座板は、その上部面が後面から前面に向かって一定角度傾くよう形成されることを特徴とする請求項６に記載のポータブルひざ椅子。
【請求項８】
前記胴体は、一側に携帯が容易であるよう手すり部が備えられることを特徴とする請求項１に記載のポータブルひざ椅子。
【発明の詳細な説明】
【技術分野】
【０００１】
本発明は、使用者が心地よく跪いて座ることのできるひざ椅子に関するもので、より詳しくは、使用者が跪いて長時間座っても不便に思わず、座った状態で骨盤を正確に支えることにより正しい姿勢の矯正を成すことができ、携帯が簡単で収納が容易なポータブルひざ椅子に関する。
【背景技術】
【０００２】
一般に現代人は、長時間机の前に座って働く場合が多く、特に自家運転などにより足の運動量が徐々に不足してしまい、足の筋肉が少なくなり、その力が弱くなって足が弱くなる実情にある。
【０００３】
従って、宗教の集会などで跪いて拝む場合、瞑想やヨーガをする場合などのように、平らな床に長時間跪いて座ると、全体重がひざと足首に集中するため足首が痺れたりひざに痛みを感じるなどの問題があった。
【発明の概要】
【発明が解決しようとする課題】
【０００４】
本発明は、上記のような問題点を解決するためのもので、その目的は、使用者が跪いて長時間座っていても不便に思わず、座った状態で骨盤を正確に支えることにより、腰を立てた状態で正しく姿勢の矯正を成すことのできるポータブルひざ椅子を提供することにある。
【０００５】
また、本発明は、各部品が組立て式に設けられ簡便な組立てから使用が便利で、携帯が容易で、かつ狭い空間に収納できるポータブルひざ椅子を提供することにある。
【課題を解決するための手段】
【０００６】
上記のような目的を達成すべく、本発明は、上部に一定の深さに陥没形成される結合溝が備えられ、左右の両側に、下部に一定の長さに伸びる足連結部が備えられる胴体と、上部面が人体の骨盤の輪郭に沿う形に凹んで形成されて上記結合溝に組立て可能に結合される座板と、上記足連結部の下部側に一定の長さに伸びるよう上記足連結部の下部と組立て可能に結合される足部と、を含む。
【０００７】
好ましくは、上記座板は、その下部面に垂直して伸びる少なくともひとつの突出部が備えられ、上記結合溝には上記突出部に対応する結合孔が備えられ組立て可能に結合されることができる。
【０００８】
好ましくは、上記足連結部は、その下部の一側に突出形成される挿入部が備えられ、上記足部の上部に備えられる挿入溝に上記挿入部が挿入されて組立て可能に結合されることができる。
【０００９】
好ましくは、上記足部は、その下部に高さ調節部が組立て可能に備えられることができる。
【００１０】
好ましくは、上記高さ調節部は、その下部面に伸縮部材が挿入される少なくともひとつの伸縮部材挿入溝が備えられることができる。
【００１１】
好ましくは、上記座板は、左右の側面が高くて中央が低いよう備えられ、座板の上部面が左右側面から中央に向かって傾いた曲面に形成されることができる。
【００１２】
好ましくは、上記座板は、その上部面が後面から前面に向かって一定の角度傾くよう形成されることができる。
【００１３】
好ましくは、上記胴体は、一側に携帯が容易であるよう手すり部が備えられることができる。
【発明の効果】
【００１４】
上記のような本発明によると、使用者が跪いて長時間座っていても不便に思わず、座った状態で骨盤を正確に支えることにより姿勢を正しく矯正できるという効果がある。
【００１５】
また、本発明は、体の荷重を骨盤と股関節、足骨に分散して骨盤の周囲の体の各部に適切に力が分散することによって、使用者がより安定して姿勢をとることができ骨盤の歪みと開けを補正できるという効果がある。
【００１６】
また、本発明は、各部品が組立て式に設けられ簡便に組立てられ使用が便利で、携帯が容易で、かつ狭い空間に収納できるという効果がある。
【図面の簡単な説明】
【００１７】
【図１】本発明によるポータブルひざ椅子の全体斜視図である。
【図２】本発明によるポータブルひざ椅子の底面図である。
【図３】本発明によるポータブルひざ椅子の分離斜視図である。
【図４】本発明による座板の正面図、平面図、底面図である。
【図５】本発明による胴体の正面図、平面図、底面図である。
【図６】本発明による足部の正面図、平面図、底面図である。
【図７】本発明による高さ調節部の正面図、平面図、底面図である。
【図８】発明によるポータブルひざ椅子の使用状態図である。
【図９】本発明によるポータブルひざ椅子において骨盤、股関節及び足骨に体の荷重が均一に分布した状態を図示した説明図である。
【図１０】本発明によるポータブルひざ椅子において骨盤の姿勢矯正効果が得られる状態を表した説明図である。
【発明を実施するための形態】
【００１８】
以下、本発明の好ましい実施例を図面を参照に詳しく説明する。
【００１９】
図１は本発明によるポータブルひざ椅子の全体斜視図で、図２は本発明によるポータブルひざ椅子の底面図で、図３は本発明によるポータブルひざ椅子の分離斜視図で、図４は本発明による座板の正面図、平面図、底面図で、図５は本発明による胴体部の正面図、平面図、底面図で、図６は本発明による足部の正面図、平面図、底面図で、図７は本発明による高さ調節部の正面図、平面図、底面図である。
【００２０】
本発明のポータブルひざ椅子１００は、図１に図示されたように、使用者が座った状態で跪いて座ることができるよう形成され、各部が簡単な組立てを通して結合されるよう胴体１１０、座板１２０及び足部１３０を含む。
【００２１】
上記胴体１１０は左右両側の高さが高く中央部分が低い、大体"Μ"状の構造を有するよう形成されたもので、上部には上記座板１２０と結合できるよう結合溝１１２が備えられ、下部の左右の両側には上記足部１３０と結合できるよう足連結部１１４がそれぞれ備えられる。
【００２２】
上記結合溝１１２は、上記座板１２０の下部面が密着して安着するよう胴体１１０の上部に一定の深さに陥没形成され、その底面には貫通形成される少なくともひとつの結合孔１１２ａが備えられ、上記座板１２０の下部と着脱可能に結合される。
【００２３】
この際、上記結合溝１１２は、左右の両側が中央領域に比べて深く形成されるようにして底面が水平に形成されるようにする。
【００２４】
そして、上記胴体１１０の下部には、左右の両側に、下部に一定の長さに垂直して伸びる足連結部１１４が備えられる。このような足連結部１１４は、下部に大体直六面体状に備えられる挿入部１１４ａが突出形成されて上記足部１３０の上部に備えられる挿入溝１３４にそれぞれ挿入されて結合される。
【００２５】
また、上記胴体１１０の下部面には、格子状の補強リーブ１１６がさらに備えられ、ポータブルひざ椅子１００の使用の際に上記胴体１１０に加わる使用者の荷重から胴体１１０の破損及び変形を防ぐこともできる。
【００２６】
一方、上記胴体１１０の後面には、図１ないし図３に図示されたように、ポータブルひざ椅子１００の携帯及び運搬が容易であるよう手すり部１１８が備えられることもできる。上記手すり部１１８は、上記胴体１１０に一体に備えられることもできるが、着脱可能に備えられることが好ましい。
【００２７】
上記座板１２０は、上部面１２２が使用者が心地よく座れるよう人体の骨盤の輪郭に沿う形に凹んで形成され、上記結合溝１１２に下部面が安着して結合される。この際、上記座板１２０は上記結合溝１１２の大きさよりやや小さく備えられ、上記座板１２０の外郭が上記結合溝１１２と一定の間隔に隙間を有するよう離隔されて結合されることが好ましい。
【００２８】
このように、上記結合溝１１２と座板１２０が上記の隙間により一定の間隔離隔されて結合されるようにすることにより、使用者が上記座板１２０に座るとき使用者の臀部が滑らず安定して臀部を支えるようにする。
【００２９】
一方、上記座板１２０は、使用者が座れる大きさに形成され、使用の用途によって様々なサイズに備えられることができる。例えば、男性大人用、女性大人用、青少年用或いは幼児用など、使用者の年齢別に多様な大きさに備えられることができる。
【００３０】
そして、上記座板１２０は、上述のように、その下部面に上記結合孔１１２ａと対応する位置に垂直して伸びる少なくともひとつの突出部１２４が備えられ、上記胴体１１０の上部と着脱可能に組立てられる。
【００３１】
また、上記座板１２０の下部面は、上述の胴体１１０の下部面と同様に格子状の補強リーブ１２６がさらに備えられ、ポータブルひざ椅子１００の使用時に上記座板１２０に加わる使用者の荷重から座板１２０の破損及び変形を防ぐこともできる。
【００３２】
一方、上記座板１２０は、左右の側面が高くて中央が低い高さに備えられることにより、座板１２０の上部面が左右の側面から中央に向かって傾いた曲面に形成される。そして、座板の上部面１２２は、その中央部が使用者の骨盤の中央が位置するよう、その周辺より膨らむよう形成される。
【００３３】
このような座板の上部面１２２は、使用者の骨盤３００、股関節３１０及び足骨３２０を同時に均一に支えるようになったもので、人体の骨盤の輪郭に沿う形に凹んで形成されたものである。
【００３４】
このような構造により、使用者が座板上の上部面１２２に座ると、使用者の骨盤３００、股関節３１０及び足骨３２０を同時に均一に支えるようになる。即ち、従来のひざ椅子は、骨盤の一部分のみ座板に密着して骨盤に無理がかかったことに違って、本発明のポータブルひざ椅子１００は、骨盤３００の全体と、股関節３１０及び足骨３２０がいずれも座板１２０の上部面に密着して使用者の荷重が全体的に均一に分散する。
【００３５】
また、上記座板は、その上部面１２２が後面から前面に向かって一定角度傾いた傾斜を形成する。このような傾斜構造は、使用者が跪いて座る場合、使用者の太ももの部分が上記傾斜に沿って位置するようにし、より座板１２０に座りやすくする。
【００３６】
従って、使用者が跪いて長時間座っていても不便に思わず、座った状態で骨盤を正確に支えることにより、腰を真っ直ぐにした姿勢で正しく座るようにしたものである。
【００３７】
一方、上記座板１２０は、その上部面に布や、レザー、皮などのようなクッションを接着剤を用いて付着することにより、座板１２０に座るとき心地よく感じるようにすることもできる。
【００３８】
上記足部１３０は、上部が密閉し下部が開放された中空の形に備えられる垂直した部材であって、上部が足連結部１１４の下部と組立てられるよう結合される。
【００３９】
即ち、上記足部１３０の上部には、一定の長さに伸びて形成される大体直六面体状の隆起部１３２が突出形成され、上記隆起部１３２の一側には、上述の挿入部１１４ａが挿入されるように一側が開口形成された挿入溝１３４が備えられる。
【００４０】
このような挿入溝１３４は、上記足部１３０の上部に貫通形成される貫通溝１３６と連通するよう、上記隆起部１３２の一側面に高さ方向に沿って開口形成される。これによって、上記足連結部１１４と足部１３０の結合時に、上記挿入部１１４ａの一部が足部１３０の上部に一定の深さに挿入されるようにすることにより、上記挿入部１１４ａが左右に滑らず頑固に固定されて結合されるようにする。
【００４１】
このような足部１３０は、使用者が跪いた姿勢で太ももと脹脛が重ならない状態で座れるよう上記足連結部１１４を下部側に一定の長さに伸ばしたものである。
【００４２】
図面と説明においては、足部１３０の上部面に突出形成された隆起部１３２が備えられ足連結部１１４と結合されるものと図示して説明したが、これに限定されるのではなく、足部の上部面に貫通溝が備えられ上記突出部が貫通溝に直ちに挿入されて結合されることもできることを明らかにする。
【００４３】
また、足部の上部面に突出部が備えられ足連結部の下部面に上記突出部に対応する挿入部が備えられ結合され得ることも明らかにする。
【００４４】
一方、上記足部１３０の下部には、使用者の体のサイズによって高さを調節することができるよう高さ調節部１４０が備えられ、開口形成された足部１３０の下部に一側が挿入されて結合される。
【００４５】
即ち、上記高さ調節部１４０は、上記足部１３０と大体同じ形状に備えられ、その上部の一側が足部の下部に挿入されて固定されるよう高さ部分の間に段差１４２が備えられる。このような段差１４２を備えて足部１３０との結合時に一側を挿入して結合することにより、使用者が分離及び結合する時に複雑な組立て過程を省き容易に行うことができる。
【００４６】
また、高さ調節部１４０の下部面には、格子状の補強リーブ１４４がさらに備えられ、使用時に使用者の荷重から保護して破損及び変形を防ぐこともできる。
【００４７】
一方、上記高さ調節部１４０の下部面には、伸縮部材１５０が挿入される少なくともひとつの伸縮部材挿入溝１４６が備えられることもできる。上記伸縮部材１５０は、ゴムのように弾性力と伸縮性を有する部材を使用することにより、使用者が使用するとき上記伸縮部材１５０によってクッション効果を得るようにし心地よく感じるようにしたものである。
【００４８】
図面には上記伸縮部材１５０の形状を円筒状に図示したが、これに限定されず多角形状に備えられることもできることを明らかにする。
【００４９】
上記のように構成されたポータブルひざ椅子１００は、図８に図示されたように、使用者が跪いた姿勢で太ももと脹脛が重ならず心地よく座ることができる。
【００５０】
このように、使用者が座板の上部面１２２に座ると、図９に図示されたように、座板の上部面１２２が人体の骨盤３００の輪郭に沿う形に凹んで形成されているため、使用者の骨盤３００、股関節３１０及び足骨３２０が座板１２０の上部面の全体に均一に密着する。これによって均一に骨盤３００、股関節３１０及び足骨３２０を支え、均一な荷重が座板の上部面に加わるようになる。
【００５１】
従って、使用者は従来に比べて心地よく座ることができ、長時間座っていても疲労感を少なく感じる。
【００５２】
さらに、座板の上部面が股関節３１０からつながる足骨３２０の部分と骨盤３００の部分の輪郭と類似する曲率で形成されることにより、使用者が座ったとき、骨盤３００に集中していた荷重を足骨３２０の方に誘導することができる。これによって骨盤３００に無理がかかるのが少なくなり、心地よく安定した姿勢をとることができる。
【００５３】
また、上記座板の上部面１２２は、図１０に図示されたように、使用者がその上に座ると、座板の上部面１２２の中央に荷重が集まる作用力を有するようにする。即ち、座板の上部面が後面から前面方向に傾斜を有するよう備えられることにより、安定した姿勢で股関節３１０から始まる荷重が中央側に集中するようにする。これにより、産後或いは間違った姿勢により歪んだ骨盤３００の位置を骨盤の中心部３００ａに向かうようにして、使用者の骨盤３００を正確かつ安定した状態で位置するようにする。
【００５４】
従って、使用者は本発明を通して骨盤３００の矯正効果を得ることができ、特に妊娠婦、主婦など出産前後に腰の痛みを抱えている場合、このために最適の勾配角度を把握して座板に適用することができる。
【００５５】
即ち、本発明は、女性の出産後、骨盤３００の歪みと開けを補正するために座板の上部面に一定の勾配を骨盤３００の形状と股関節３１０の形状を考えて最適の形状に構成したものである。
【００５６】
このような本発明のポータブルひざ椅子１００は、妊娠婦の姿勢矯正に焦点を合わせて、妊娠後にお腹が出てくることにより腰に痛みを感じる妊娠婦に正しい姿勢を維持することを手伝う椅子としての機能と、産後に骨盤の歪みで苦労する主婦に骨盤の矯正の機能を同時に行うことができる。
【００５７】
また、本発明によるポータブルひざ椅子１００は、長時間の運転後の姿勢矯正用、宗教集会、瞑想やヨーガ、茶道、学習、在宅勤務などのように長時間跪いて座らねばならないときだけでなく、暴食の後気楽に休みたいとき、腰などが自由ではないお年寄りや患者、妊娠婦に最適の姿勢を維持することができるようにする治療用の機能を有することができる。
【００５８】
そして、本発明のポータブルひざ椅子１００を利用すると、使用者の姿勢矯正の効果によりストレッチングと同時にお腹、脹脛、太もも、尾尻などのダイエット効果を期待することができる。
【００５９】
また、本発明は、各部品が組立て式に設けられて簡便に組立てられ使用が便利で、携帯が容易で、かつ狭い空間に収納できるという効果がある。
【００６０】
本発明は、上記において図面を参照に特定の実施例について詳しく説明したが、本発明をこのような特定の構造に限定するのではない。当業界の通常の知識を有している者であれば、添付の特許請求範囲に記載された本発明の技術思想及び権利範囲を外れることなく、本発明の実施例を多様に修正または変更させることができる。しかし、このような単純な実施例の修正または設計変更構造は、いずれも本発明の権利範囲内に属することを明らかにする。
【符号の説明】
【００６１】
１００  ポータブルひざ椅子
１１０  胴体
１１２  結合溝
１１２ａ  結合孔
１１４  足連結部
１１４ａ  挿入部
１１６  補強リーブ
１１８  手すり部
１２０  座板
１２２  上部面
１２４  突出部
１２６  補強リーブ
１３０  足部
１３２  隆起部
１３４  挿入溝
１３６  貫通溝
１４０  高さ調節部
１４２  段差
１４４  補強リーブ
１４６  伸縮部材挿入溝
１５０  伸縮部材
３００  骨盤
３１０  股関節
３２０  足骨
【図１】
2010194294.tif 000003
【図２】
2010194294.tif 000004
【図３】
2010194294.tif 000005
【図４】
2010194294.tif 000006
【図５】
2010194294.tif 000007
【図６】
2010194294.tif 000008
【図７】
2010194294.tif 000009
【図８】
2010194294.tif 000010
【図９】
2010194294.tif 000011
【図１０】
2010194294.tif 000012